(57)【要約】      （修正有）【課題】抽出用袋を繋ぐ紐、金具、摘み部分を用いず、製造コストの削減およびゴミの量を減らし、かつ従来捨てていた包装材料を蓋として用いることによりお茶の抽出時にお茶が冷めることおよび香りが逃げるのを防止することができる新規な飲料バッグを提供する。【解決手段】本飲料バッグ１は、台紙２と、該台紙に部分的に接着され、抽出物が収容された抽出用袋４と、該台紙および前記抽出用袋を覆う包装シート３とからなり、前記抽出用袋が、前記台紙と前記包装シートによって封止手段により密封され、当該封止手段が、前記包装シートが前記台紙から剥離しやすいように封止されてなることを特徴とする。【選択図】図２
0003158138.tif 000002
【実用新案登録請求の範囲】
【請求項１】
台紙と、
該台紙に部分的に接着され、抽出物が収容された抽出用袋と、
該台紙および前記抽出用袋を覆う包装シートとからなり、
前記抽出用袋が、前記台紙と前記包装シートによって封止手段により密封され、
前記包装シートが前記台紙から剥離しやすいように封止されてなる
ことを特徴とする飲料バッグ。
【請求項２】
包装シートと、
該包装シートに接着され、抽出物が収容された抽出用袋とからなり、
前記包装シートが、線対称形状を有し、該包装シートの折り返し軸に沿って折りたたまれ、
前記抽出用袋が、前記包装シートに収納され、封止手段により密封されてなることを特徴とする飲料バッグ。
【請求項３】
矩形状の包装シートと、
該包装シートに接着され、抽出物が収容された抽出用袋とからなり、
前記包装シートが、封止手段によりセンターシールされて前記抽出用袋を収納して密封されてなること
を特徴とする飲料バッグ。
【考案の詳細な説明】
【技術分野】
【０００１】
本考案は飲料バッグに関する。
【背景技術】
【０００２】
従来、図１２に示すようなティーバッグ１００が用いられている。図１２に示すティーバッグ１００は、包装材料１０１に収納され、お茶などを飲みたいときに包装材料１０１の切れ目部分から包装材料１０１を破き、包装材料１０１内に収納されたティーバッグ１００を取り出し、ティーカップやコーヒーカップに抽出用袋部分１０２を入れ、お湯を注いで数分間抽出用袋部分１０２をお湯に浸し、抽出用袋部分１０２内部の茶葉Ｔからお茶を抽出する。ティーバッグ１００は、茶葉Ｔが収容された抽出用袋部分１０２と、抽出用袋部分１０２をカップ内に入れたり出したりするために手で摘むための摘み部分１０３と、摘み部分１０３と抽出用袋部分１０２を繋ぐ紐１０４とを有している。紐１０４は、抽出用袋部分１０２と摘み部分１０３にステープラーなどにより金具１０５で留められている。また、金具１０５を用いる代わりに、抽出用袋部分１０２および摘み部分１０３に紐１０４を結び付けるものもある。
【考案の概要】
【考案が解決しようとする課題】
【０００３】
上記従来のティーバッグ１００では、包装材料１０１は、ティーバッグ１００を収納するためだけに用いられ、ティーバッグ１００を取り出した後は、ゴミとして捨てられるだけであった。また、従来のティーバッグ１００は、お茶を入れるときに抽出用袋部分１０２を熱湯から出し入れするために、摘み部分１０３、紐１０４および抽出用袋部分１０２と紐１０４を繋ぐための金具１０５が必要であり、その分だけ製造コスト、原材料を製造するために使われる原料およびエネルギーの消費量がかかるという問題があった。また、抽出用部分１０２に金具１０５を用いず、紐１０４を結び付ける場合には、抽出用部分１０２と摘み部分１０３に紐１０４を１つ１つ結び付けなければならないため、ティーバッグ１００の製造に手間がかかるという問題がある。さらに、摘み部分１０３、紐１０４および金具１０５の分だけ排出されるゴミの量が増え、地球環境衛生上好ましくない。また、金具１０５が誤ってお茶の中に紛れ込んでしまった場合に、子供が金具１０５を飲み込んでしまう可能性があり危険である。
【０００４】
また、屋外でお茶を入れたり、室温が低い場合に、お茶を抽出しているときに、お茶が冷めてしまうことがあり、その場合は冷めないように、別途蓋を用意したり、蓋の代用として本などをカップの上縁に載せたりしていたが、本や紙などを代用とした場合は、衛生上問題があり、蓋を別途用意するのも煩雑である。また、蓋がない場合は、抽出時間中に香りが逃げてしまい、おいしい飲料を入れることができない。
【０００５】
本考案はかかる事情に鑑みて、抽出用袋を繋ぐ紐、金具、摘み部分を用いず、製造コストの削減およびゴミの量を減らし、かつ従来捨てていた包装材料を蓋として用いることによりお茶などの飲料の抽出時に飲料が冷めることおよび香りが逃げるのを防止することができ、おいしい飲料を入れることができる新規な飲料バッグの提供を目的とする。
【課題を解決するための手段】
【０００６】
本考案の飲料バッグは、台紙と、該台紙に部分的に接着され、抽出物が収容された抽出用袋と、該台紙および前記抽出用袋を覆う包装シートとからなり、前記抽出用袋が、前記台紙と前記包装シートによって封止手段により密封され、前記包装シートが前記台紙から剥離しやすいように封止されてなることを特徴とする。
【０００７】
また、前記抽出用袋が折りたたまれて収納されてなることが好ましい。
【０００８】
また、前記台紙と前記包装シートが、前記包装シートの少なくとも一部が外周からわずかに内側で封止されてなることが好ましい。
【０００９】
また、前記抽出用袋が前記台紙に接着される領域が、前記台紙の端縁から所定の長さだけ内側に設けられてなることが好ましい。
【００１０】
また、前記封止手段が、接着剤であることが好ましい。
【００１１】
また、前記封止手段が、ヒートシールであることが好ましい。
【００１２】
また、本考案の飲料バッグは、包装シートと、該包装シートに接着され、抽出物が収容された抽出用袋とからなり、前記包装シートが、線対称形状を有し、該包装シートの折り返し軸に沿って折りたたまれ、前記抽出用袋が、前記包装シートに収納され、封止手段により密封されてなることを特徴とする。
【００１３】
また、前記抽出用袋が折りたたまれて収納されてなることが好ましい。
【００１４】
また、前記抽出用袋が前記包装シートに接着される領域が、前記折り返し軸から所定の長さだけ外側に設けられてなることが好ましい。
【００１５】
また、前記封止手段が、接着剤であることが好ましい。
【００１６】
また、前記封止手段が、ヒートシールであることが好ましい。
【００１７】
また、本考案の飲料バッグは、矩形状の包装シートと、該包装シートに接着され、抽出物が収容された抽出用袋とからなり、前記包装シートが、封止手段によりセンターシールされて前記抽出用袋を収納して密封されてなることを特徴とする。
【００１８】
また、前記抽出用袋が折りたたまれて収納されてなることが好ましい。
【００１９】
また、前記抽出用袋が前記包装シートに接着される領域が、前記包装シートの端縁から所定の長さだけ内側に設けられてなることが好ましい。
【００２０】
また、前記封止手段が、接着剤であることが好ましい。
【００２１】
また、前記封止手段が、ヒートシールであることが好ましい。
【考案の効果】
【００２２】
本考案の飲料バッグによれば、抽出用袋が直接包装材料に接着されているので、抽出用袋をカップなどから出し入れするための紐や摘み部分、当該紐や摘み部分を抽出用袋に繋ぐための金具などが不要であり、製造コストやゴミの量を減らすことができる。さらに、金具を用いていないので、子供などがカップに誤って入ってしまった金具を誤飲してしまう心配がない。さらに、包装材料をカップの蓋として利用することができるので、飲料が冷めることを防止することができるうえ、飲料の香りが逃げることがなく、おいしい飲料をいれることができる。
【図面の簡単な説明】
【００２３】
【図１】本考案の飲料バッグを説明するための説明図である。
【図２】本考案の飲料バッグを説明するための断面図である。
【図３】本考案の飲料バッグが部分的に開放された状態を示す説明図である。
【図４】本考案の飲料バッグに用いられる包装シートの他の態様を説明するための説明図である。
【図５ａ】本考案の飲料バッグの使用状態を説明するための説明図である。
【図５ｂ】本考案の飲料バッグの使用状態を説明するための説明図である。
【図５ｃ】本考案の抽出用袋が台紙の略中央に設けられた場合の容器への装着方法を示す説明図である。
【図６】本考案の飲料バッグに用いられる抽出用袋のシール位置を説明するための説明図である。
【図７】本考案の飲料バッグの他の実施の形態を示す図である。
【図８】本考案の飲料バッグの他の実施の形態を示す図である。
【図９】本考案の飲料バッグのさらに他の実施の形態を示す図である。
【図１０】図９の飲料バッグの断面図である。
【図１１】本考案の飲料バッグの使用状態を説明するための説明図である。
【図１２】従来のティーバッグを示す図である。
【考案を実施するための形態】
【００２４】
以下、添付図面を参照し、本考案の飲料バッグを詳細に説明する。
【００２５】
図１〜３を参照すると、本考案の飲料バッグ１は、台紙２上に、茶葉Ｔが収納された抽出用袋４が接着され、台紙２上のティーバッグ様の抽出用袋４が半分に折りたたまれた状態で、台紙２の周縁に沿って、包装シート３により封止されている。飲料バッグ１は、茶碗やコーヒーカップなどに台紙２を茶碗の上縁に載せて、抽出用袋４を茶碗やコーヒーカップ内に垂らし、茶碗やコーヒーカップに注がれたお湯により、抽出用袋４内からお茶やコーヒーを抽出する。
【００２６】
抽出用袋４に収容される抽出物としては、お茶類、コーヒー、だし、漢方薬などがあげられるが、抽出用袋４に収容される抽出物は、お湯や水などにより抽出可能なものであれば、特に限定されるものではない。また、本考案におけるお茶は、緑茶、白茶、青茶、紅茶、黄茶、黒茶等の発酵程度の異なる各種茶葉をはじめ、煎茶、番茶などを焙じたほうじ茶、茶葉に玄米を混ぜた玄米茶などの混合茶、茶葉以外の植物の葉、花、実などを利用したジャスミン茶や麦茶などのお茶類を含む概念である。
【００２７】
茶葉Ｔが収納される抽出用袋４は、織布、不織布、紙、有孔フィルム等の通液性のある素材で、両面にヒートシール性を持つもの、または片面にヒートシール性を持つものが好適に用いられる。ヒートシール性を持つ抽出用袋４を用いることにより、抽出用袋４の開口部から茶葉Ｔなどの内容物を充填後、図２における台紙２の参照符号Ａによって示される面に抽出用袋４をヒートシールにより取り付けると同時に、抽出用袋４の内容物充填のための開口部もヒートシールにより閉じることができる。台紙２に抽出用袋４をヒートシールにより取り付けることにより、抽出用袋４を容器などから出し入れするための紐や摘み部分、当該紐や摘み部分を抽出用袋に繋ぐための金具などが不要であり、製造コストやゴミの量を減らすことができる。さらに、金具を用いていないので、子供などが容器に誤って入ってしまった金具を誤飲してしまう心配がない。
【００２８】
台紙２は、抽出用袋４をヒートシールすることが可能なヒートシール性を持つ、たとえば、紙／ＰＥ／アルミ蒸着ＰＥＴ／ＰＥの４層からなる複合体を用いることができる。台紙２の厚さや材質は、台紙２を容器の上に支持したときに台紙２が抽出用袋４を支持できる程度の腰を持つ紙であればよく、特に限定されるものではない。台紙２の形状は、特に限定されないが、図１〜３に示すような矩形状の台紙２以外に三角形、五角形、六角形等の多角形状の台紙２や、円形、楕円形の台紙２を用いることもできる。台紙２の大きさは、茶碗やコーヒーカップ、ティーカップ等に支持される大きさであればよく、長手方向の長さが茶碗やカップの直径よりも大きければ、台紙２を茶碗やカップの開口縁に載せた状態で、お茶やコーヒーを抽出することができると同時に、茶碗やカップの蓋として機能する。具体的には矩形状の台紙２の場合、長手方向の長さが、７０〜１２０ｍｍ、短手側の辺の長さが５０〜１１０ｍｍであることが好ましい。なお、短手側の辺の長さが８０ｍｍを超える場合には折りたたまなくてもシールが可能である。
【００２９】
台紙２上の抽出用袋４は、図２および３に示すように折りたたまれて収納され、抽出用袋４が折りたたまれた状態で、包装シート３により封止される。抽出用袋４が折りたたまれて収納されていることにより、抽出用袋４が折りたたまれていない状態よりも覆う面積が少なくて済むので、抽出用袋４を覆う包装シート３の使用量を減らすことができる。台紙２は容器の上に載せる関係でそれほど小さくできないが、図４に示すように包装シート３は、台紙２の全面を覆う必要がなく、抽出用袋４を覆うことができればよく、包装シート３の面積は、台紙２より小さくすることができ、包装シート３の使用量を減らすことができる。
【００３０】
台紙２と包装シート３とは、図２に示すように、弱粘着性（再剥離性）の粘着材５により接着して封止されている。粘着材５としては、たとえば、アクリル系弱粘着材が好適に採用される。また、台紙２および包装シート３がともにイージーピール性を有する場合は、粘着材５を用いずに台紙２および包装シート３とをヒートシールにより封止してもよい。包装シート３には、たとえば、ＰＥＴ／ＰＥ／アルミ蒸着ＰＥＴ／面々ピールシーラントの４層からなる複合体が好適に採用される。
【００３１】
茶わんや、ティーカップ、コーヒーカップなどの大きさ（とりわけ、開口部の外径）は、千差万別であり、すべての茶わん、ティーカップ、コーヒーカップに適合するような台紙を備えた飲料バッグを提供することは到底不可能である。しかし市場で入手しうる茶わん、ティーカップ、コーヒーカップは、その開口部の外径が６０〜１００ｍｍの範囲に収まるものが多い。そこで、本考案者らは、鋭意検討した結果、たとえば１１０ｍｍ×１００ｍｍの大きさで、台紙の短手側の端縁からたとえば１５ｍｍ以上の位置に抽出用袋が接着された台紙を用意すれば、外径が６０〜１００ｍｍのいずれの茶わん、ティーカップ、コーヒーカップの開口部に台紙２を載せても、抽出用袋４を茶わん、ティーカップ、コーヒーカップ内に入れた状態でお湯を注ぐためのスペースを設けることができるとともに、飲料の抽出中に茶わん、ティーカップ、コーヒーカップ（以下、単に容器という）の開口部の全面を台紙２が覆うことができるという知見を得た。前述の知見はいわゆる湯のみ茶碗を想定したものであるが、たとえば紅茶のカップにもこの知見は適用されるのであるが、紅茶のカップの場合にはたとえば短手側の辺（端縁）から５ｍｍ以上離れた箇所に接合領域４ａを設けるとよい。この知見を添付図面を用いて説明する。
【００３２】
図６は本考案の飲料バッグに用いられる台紙および抽出用袋と容器の開口部との関係を説明した説明図である。図６に示すように、台紙２の長手方向の長さＤ３がたとえば１１０ｍｍで、台紙２の短手側の辺の長さＤ４が１００ｍｍの大きさで、図６における抽出用袋４と台紙２とが接合される帯状の接合領域４ａから台紙２の短手側の辺（端縁）までの距離Ｄ１がたとえば１５〜２５ｍｍの台紙２の場合は、外径Ｄ２が６０〜１００ｍｍの容器Ｃの開口部に台紙２を載せても、図５ａに示すように、スペースＳを設けることができるので、抽出用袋４を容器Ｃ内に入れた状態でお湯を注ぐことができる。さらに、飲料の抽出中に容器Ｃの開口部の全面を台紙２が覆うことができる。また、台紙２と包装シート３が、包装シート３の外周からわずかに内側で封止されることにより、包装シート３を剥がしやすくなるという観点から好ましい。また、外周全てをわずかに内側で封止する必要はなく、少なくとも一部がわずかに内側で封止されていればよい。
【００３３】
また、本実施の形態の飲料バッグ１の変形例として、図５ｃに示す。このものは、図５ｃに示すとおり、抽出用袋４の台紙２との接合領域４ａが、台紙２のほぼ中央に設けられている。このように接合領域４ａから台紙２の短手側の辺（端縁）までの距離Ｄ１がたとえば２５ｍｍを超える場合は、図５ｃに示すように、台紙２のほぼ中央に抽出用袋４を貼り付けておけば、お茶を注ぐ際に抽出用袋４と台紙２とで容器Ｃの縁ＣＥを挟むようにして装着してお湯を注ぐことができる。この後は、図５ｂに示すように、注ぎ終わってから蓋をする際は、抽出用袋４を容器中に保持したまま台紙で蓋をすればよい。なお、剥がしやすくすることは、シールを端から少し内側にずらすことのほか、包装シートの一辺を長くすること、きっちり重ね合わせないで少しずらすことによって実現することができる。
【００３４】
また、図５ｂに示すように、容器Ｃの上縁の開口を全て塞ぐことができる面積を有する台紙２を、お湯を注いだ後に容器Ｃの開口部が全て塞がるように台紙２をずらすことにより、別途蓋を用意することなく、お茶などの飲料の抽出時に香りが逃げず、おいしい飲料をいれることができるうえ、飲料が冷めることを防止することができる。また、飲料を抽出した後は、台紙２を濡れた抽出用袋４の受け皿として用いることもでき、従来ゴミになっていた包装材料を蓋や受け皿として利用できるという利点がある。
【００３５】
図７および８は、本考案の他の態様を示す図であり、線対称な包装シート３に抽出用袋４をシールし、包装シート３を折り返し軸（対称軸）Ａｘに沿って折りたたんで、包装シート３の外周部をシールすることにより封止するものである。線対称な包装シート３を用い、包装シート３および抽出用袋４を折りたたんで包装することにより、包装材料の量を減らすことができる。たとえば、図７（ａ）に示すように１枚の正方形または菱形の包装シート３を用いて、正方形または菱形の対角線である折り返し軸Ａｘに沿って折り曲げて三角形状の飲料バッグ１とすることができ、図７（ｂ）に示すように、１枚の正方形または長方形の包装シート３を、正方形または長方形の対向する辺のそれぞれの中心を結んだ折り返し軸Ａｘに沿って、包装シート３および抽出用袋４を折りたたむことにより、長方形の飲料バッグ１とすることができる。また、図８（ａ）および（ｂ）に示すような六角形状の包装シート３など、多角形状の包装シート３を用いて、包装シート３の折り返し軸Ａｘに沿って折り返して封止することができる。また、多角形状に限らず、円形または楕円形の包装シート３を用いることもできる。
【００３６】
図７および８においても、抽出用袋４がシールされるシール部（接合領域）４ａは、包装シート３の端縁から所定の長さだけ内側に設けられることが好ましい。また、包装シート３の材質は、イージーピール性を有する。包装シート３の材質としては、たとえば、セロハン／ＰＥ／アルミ箔／面々ピールシーラントの４層からなる複合体が好適に採用される。なお、剥がしやすくすることは、シールを端から少し内側にずらすことのほか、包装シートの一辺を長くすること、きっちり重ね合わせないで少しずらすことによって実現することができる。
【００３７】
図９〜１１は、本考案のさらに他の態様を示す図であり、飲料バッグ１は、矩形状の包装シート３が折り目３ａおよび３ｂにより折り返されることにより、封筒状に折りたたまれて封止されている。抽出用袋４は、図７および８と同様直接包装シート３に接着されている。包装シート３は、図７および８の包装シート３と同様、イージーピール性を有する。包装シート３の材質としては、たとえば、ＰＥＴ／ＰＥ／アルミ箔／面々ピールシーラントの４層からなる複合体が好適に採用される。包装シート３は、折り目３ａおよび３ｂにより、抽出用袋４が接着される中央部３１と、折り返し部３２および３３とに分かれ、当該中央部３１と折り返し部３２、３３がヒートシールにより接着され、折り返し部３２、３３が互いにヒートシールにより接着されて封止される。折り返し部３２、３３の接着部３４は、図１０に示すようにセンターシール（合掌貼り）されて封止されている。センターシールすることにより、ヒートシール性を有する面同士をヒートシールすることができ、接着強度が高まる。なお、剥がしやすくすることは、センターシール（合掌貼り）を端から少し内側にずらすことのほか、シール位置をわずかに内側にずらすことによって実現することができる。
【００３８】
折り目３ａおよび３ｂにより折り癖がついた包装シート３を用いることにより、図１１に示すように、容器Ｃに包装シート３の中央部３１が支持され、折り返し部３２、３３が容器Ｃを両側から挟みこみ、包装シート３が容器Ｃにフィットした蓋となる。さらにお茶などの飲料の抽出後、包装シート３をひっくり返して取り出すときに包装シート３がトレーの代わりとなり、折り返し部３２、３３を持ち、濡れた抽出用袋４をゴミとして捨てるときにテーブルなどを汚さずに済むという利点がある。
【００３９】
また、台紙あるいは包装シートを蓋として使うときに容器に添って押さえつければより安定した（ずれない）蓋として使え、使用後は抽出用袋の収納に役立つという利点がある。
【符号の説明】
【００４０】
１  飲料バッグ
２  台紙
３  包装シート
４  抽出用袋
５  粘着材
【図１】
0003158138.tif 000003
【図２】
0003158138.tif 000004
【図３】
0003158138.tif 000005
【図４】
0003158138.tif 000006
【図５ａ】
0003158138.tif 000007
【図５ｂ】
0003158138.tif 000008
【図５ｃ】
0003158138.tif 000009
【図６】
0003158138.tif 000010
【図７】
0003158138.tif 000011
【図８】
0003158138.tif 000012
【図９】
0003158138.tif 000013
【図１０】
0003158138.tif 000014
【図１１】
0003158138.tif 000015
【図１２】
0003158138.tif 000016